(57)【要約】【課題】  低挿入損失で小型低コストな通過帯域平坦度補償回路およびそれを備えたフィルタを得る。【解決手段】  例えば誘電体共振器Ｒ１〜Ｒ４とキャパシタＣ１〜Ｃ６とによって、通過帯域で通過特性曲線が全体に凸状をなす特性補償対象フィルタ１の通過帯域での平坦度を補償するために、この特性補償対象フィルタ１の出力側伝送線路に通過帯域平坦度補償回路２を接続する。通過帯域平坦度補償回路２は、第１のリアクタンス回路部（Ｃ２１）、第２のリアクタンス回路部（Ｌ２１）の直列回路に対して第３のリアクタンス回路部（Ｌ２２）を並列接続し、この並列回路に抵抗ｒｅｓ１を直列接続して構成する。各素子値は、特性補償対象フィルタ１の通過帯域での通過特性と略相補形状の通過特性となるように定める。【選択図】  図４
2005286893.tif 000002
【特許請求の範囲】
【請求項１】
通過帯域で通過特性曲線が全体に凸状をなす特性補償対象フィルタの通過帯域平坦度を補償する回路であって、
第１・第２のリアクタンス回路部を直列に接続した回路に対して第３のリアクタンス回路部を並列接続し、該並列接続した回路に抵抗を直列接続して通過特性が前記通過帯域での通過特性とは相補形状の通過特性を有する特性補償用共振回路を構成し、
該特性補償用共振回路を前記特性補償対象フィルタの入力側、出力側またはその両方の伝送線路に接続することによって、前記特性補償対象フィルタの通過帯域平坦度を補償することを特徴とする通過帯域平坦度補償回路。
【請求項２】
前記第２のリアクタンス回路部を並列共振回路で構成したことを特徴とする請求項１に記載の通過帯域平坦度補償回路。
【請求項３】
前記並列共振回路を誘電体共振器で構成したことを特徴とする請求項２に記載の通過帯域平坦度補償回路。
【請求項４】
前記特性補償用共振回路を前記特性補償対象フィルタの入力部または出力部の伝送線路に２段以上設けて、該２段以上の特性補償用共振回路で帯域減衰フィルタを構成したことを特徴とする請求項１〜３のいずれかに記載の通過帯域平坦度補償回路。
【請求項５】
請求項１〜４のいずれかに記載の通過帯域平坦度補償回路と、当該通過帯域平坦度補償回路により通過帯域の平坦度が補償される前記特性補償対象フィルタとからなるフィルタ。
【発明の詳細な説明】
【技術分野】
【０００１】
この発明は、高周波帯で用いられるフィルタの通過帯域平坦度補償回路および通過帯域の平坦度を高めたフィルタに関するものである。
【背景技術】
【０００２】
従来、帯域通過フィルタ（ＢＰＦ）の通過帯域でのリップルを小さくして通過帯域の挿入損失の平坦度を向上させるために通過帯域平坦度補償回路が用いられている。例えばある形状の通過特性を有する帯域通過フィルタに対して、その通過帯域で通過特性が略反対形状の帯域通過フィルタを直列に接続したものが特許文献１に示されている。
【０００３】
この特許文献１の通過帯域平坦度補償回路の構成を図１６に示す。（Ａ）のように、この通過帯域平坦度補償回路は、２つのＬＣ並列共振回路１２ａ，１２ｂをコンデンサを介して２段に接続したものである。（Ｂ）はその通過特性を示している。この通過帯域平坦度補償回路の補償対象であるメインの帯域通過フィルタは、通過帯域の中央ほど挿入損失が小さく、中心周波数から離れるほど挿入損失が大きくなる特性、すなわち通過特性が凸状をなす帯域通過フィルタである。したがってそのメインの帯域通過フィルタと、この図１６に示す通過帯域平坦度補償回路を直列に接続することによって、通過帯域の通過特性の平坦度が向上する。
【０００４】
また、高域通過フィルタ（ＨＰＦ）と低域通過フィルタ（ＬＰＦ）を組み合わせて通過帯域の平坦度を補償するものが特許文献２に示されている。
【０００５】
図１７はその特許文献２の通過帯域平坦度補償回路の例を示している。（Ａ）に示すように、インダクタＬｈ１とキャパシタＣｈ１，Ｃｈ２とによりＨＰＦ部を構成し、インダクタＬｌ１とキャパシタＣｌ１，Ｃｌ２とによってＬＰＦ部を構成し、この２つのフィルタを接続している。同図の（Ｂ）はこの通過帯域平坦度補償回路の通過特性を示している。このように所定の周波数ｆｏ１，ｆｏ２で挿入損失が小さくなるようにして、特性補償対象である帯域通過フィルタの通過帯域の平坦度を補償する。
【特許文献１】特開２００２−１５８５０４公報
【特許文献２】特開平１１−２３９０７２号公報
【発明の開示】
【発明が解決しようとする課題】
【０００６】
従来の帯域通過フィルタは通過特性が挿入損失が小さくなる方向に凸形状を示すものである。また、帯域通過フィルタや帯域減衰フィルタ（ＢＥＦ）の通過帯域近傍に急峻な減衰極を設ける場合にも、通過帯域の減衰極側の端で挿入損失が大きくなるため、通過帯域リップルが大きくなる。これらの特性は、例えば移動体通信システムの基地局で上記ＢＰＦやＢＥＦが使用される場合には周波数チャンネル間の電力差が生じるため、システムの品質を低下させる要因となる。
【０００７】
上記通過帯域リップルの特性を改善する方法として特許文献１のような通過帯域平坦度補償回路を用いた場合、その回路はＢＰＦで構成されているため、特性補償対象である通過帯域フィルタと２段の通過帯域フィルタが直列に設けられることになり、全体の通過帯域での挿入損失が増大する。また、この２つの帯域通過フィルタ同士のマッチングをとるために減衰回路を直列に接続しなければならず、さらに通過特性の挿入損失が大きくなり、これを補うために増幅回路が必要となる。その結果全体に大型化しコスト上昇を招く結果となる。
【０００８】
また、特許文献２に示されている通過帯域平坦度補償回路では、通過帯域の低域側をＬＰＦで、高域側をＨＰＦでそれぞれ補償するものであるので、通過帯域全域を補償するためにＨＰＦとＬＰＦが最低限１段ずつ必要になる。その結果、全体に大型化しコスト上昇を招く結果となる。さらにこの特許文献２に開示されている回路では集中定数のＬＣによってＨＰＦとＬＰＦを構成しているのでＱが低く、また、集中定数素子による補償回路をＩＦ帯フィルタに適用することは実現可能であるが、ＲＦ帯フィルタへ適用することは実現困難である。
【０００９】
そこで、この発明の目的は、上述の問題を解消して低挿入損失で小型低コストな通過帯域平坦度補償回路およびそれを備えたフィルタを提供することにある。
【課題を解決するための手段】
【００１０】
（１）この発明の通過帯域平坦度補償回路は、通過帯域で通過特性曲線が全体に凸状をなす特性補償対象フィルタの通過帯域平坦度を補償する回路であって、第１・第２のリアクタンス回路部を直列に接続した回路に対して第３のリアクタンス回路部を並列接続し、該並列接続した回路に抵抗を直列接続して通過特性が前記通過帯域での通過特性とは相補形状の通過特性を有する特性補償用共振回路を構成し、該特性補償用共振回路を前記特性補償対象フィルタの入力側、出力側またはその両方の伝送線路に接続することによって、特性補償対象フィルタの通過帯域の平坦度を補償することを特徴としている。
【００１１】
（２）また、この発明の通過帯域平坦度補償回路は、前記第２のリアクタンス回路部を並列共振回路で構成したことを特徴としている。
【００１２】
（３）また、この発明の通過帯域平坦度補償回路は、前記並列共振回路を誘電体共振器で構成したことを特徴としている。
【００１３】
（４）また、この発明の通過帯域平坦度補償回路は、前記特性補償用共振回路を前記特性補償対象フィルタの入力部または出力部の伝送線路に２段以上設けて、該２段以上の特性補償用共振回路で帯域減衰フィルタを構成したことを特徴としている。
【００１４】
（５）この発明のフィルタは、（１）〜（４）の通過帯域平坦度補償回路と、それによって補償される特性補償対象フィルタとによって構成したことを特徴としている。
【発明の効果】
【００１５】
（１）一般にＢＰＦやＢＥＦの通過帯域リップルは数ｄＢ程度の微小なものであるので、これを直列共振の減衰で補償しようとしても、直列共振回路の減衰は１０ｄＢ以上と大きなものであるため、そのままでは適用できない。また、直列共振回路は、直列共振周波数において略短絡状態となるため、伝送線路とのマッチングをとることも難しい。この発明では、第１・第２リアクタンス回路部を直列に接続した回路に対して抵抗を直列接続したので、直列共振回路の減衰量を抵抗によって補償対象のリップルのレベルにまで緩和でき、また特性補償対象フィルタの入力側または出力側の伝送線路との整合を容易にとることができる。さらに、第１・第２のリアクタンス回路部による直列共振回路に対して第３のリアクタンス回路部を並列接続したことにより、直列共振周波数前後の周波数で並列共振周波数を容易に設定でき、補償対象フィルタの通過帯域の通過特性形状と相補形状の通過特性を容易にもたせることができ、通過帯域平坦度の高精度な補償が可能となる。
【００１６】
（２）第２のリアクタンス回路部を並列共振回路で構成したことにより、通過帯域平坦度補償回路の周波数特性を設計する上での自由度が上がり、補償対象フィルタの周波数特性により適した補償ができ、低リップル化が可能となる。
【００１７】
（３）前記並列共振回路を誘電体共振器で構成したことにより、Ｑの高い誘電体共振器の作用によって、補償対象フィルタと補償回路を組み合わせたフィルタ全体をさらに低リップル化できる。
【００１８】
（４）前記特性補償用共振回路を２段以上設けて帯域減衰フィルタを構成したことにより、補償対象通過帯域が広い場合にも、その通過帯域平坦度を容易に補償できるようになる。
【００１９】
（５）この発明によれば、前記通過帯域平坦度補償回路と特性補償対象フィルタとを組み合わせたことにより、通過特性が平坦度の高いフィルタとして用いることができる。
【発明を実施するための最良の形態】
【００２０】
第１の実施形態に係る通過帯域平坦度補償回路およびそれを備えたフィルタについて図１〜図３を参照して説明する。
図１はその回路図であり、特性補償対象フィルタ１の出力部の伝送線路に通過帯域平坦度補償回路２を直列接続することによって、特性補償対象フィルタ１の入力部を入力端子ＩＮ、通過帯域平坦度補償回路２の出力部を出力端子ＯＵＴとするフィルタを構成している。
【００２１】
ここで特性補償対象フィルタ１は通過帯域で通過特性曲線が全体に凸状をなす帯域通過フィルタまたは帯域減衰フィルタである。通過帯域平坦度補償回路２において第１のリアクタンス回路部Ｘ１と第２のリアクタンス回路部Ｘ２の直列回路に対して第３のリアクタンス回路部Ｘ３を並列接続し、さらにこの並列に接続した回路に抵抗ｒｅｓ１を直列接続して特性補償用共振回路２０を構成している。この特性補償用共振回路２０を特性補償対象フィルタ１の出力側伝送線路と接地との間に接続することによって通過帯域平坦度補償回路２を構成している。
【００２２】
図１において、第１のリアクタンス回路部Ｘ１を０．３ｐＦのキャパシタ、第２のリアクタンス回路部Ｘ２を２５ｎＨのインダクタ、第３のリアクタンス回路部Ｘ３を２．５ｐＦのキャパシタとし、抵抗ｒｅｓ１を０〜１０００Ωまで変化させた時の通過帯域平坦度補償回路２の特性を図２および図３に示す。
【００２３】
図２の（Ａ）は図１に示した通過帯域平坦度補償回路２の入出力間の通過特性Ｓ２１、（Ｂ）は入力側の反射特性Ｓ１１である。この図からわかるように、抵抗ｒｅｓ１の値によって通過帯域平坦度補償回路２の通過特性と反射特性が変化する。
【００２４】
図３の（Ａ）は第３のリアクタンス回路部Ｘ３のリアクタンスを変化させた時の通過特性の変化について示している。ここで抵抗ｒｅｓ１は１００Ωにしている。
【００２５】
（Ａ）は第３のリアクタンス回路部Ｘ３をオープンとした場合、（Ｂ）はＸ３を３ｎＨのインダクタとした場合、（Ｃ）はＸ３を２．５ｐＦとした場合、（Ｄ）はＸ３を２０ｎＨのインダクタと３．５ｐＦのキャパシタの並列回路とした場合である。図３の（Ｂ）〜（Ｄ）は上記３つの回路を示している。
【００２６】
ここで第１のリアクタンス回路部Ｘ１と第２のリアクタンス回路部Ｘ２の直列共振による減衰極の周波数をｆｐ（この例では１８５０ＭＨｚ付近）として、ｆｐより高い周波数に反共振点を設定する場合にはＸ３をキャパシタとすればよい。またｆｐより低い周波数に反共振点を設定する場合にはＸ３をインダクタとすればよい。さらにｆｐの高域と低域の両側に反共振点を設定する場合にはＸ３をキャパシタとインダクタの並列回路とすればよい。このように第３のリアクタンス回路部Ｘ３の素子値を適宜設定することによって反共振周波数を任意に設定することができる。
【００２７】
次に、第２の実施形態に係る通過帯域平坦度補償回路とそれを備えたフィルタについて図４・図５を基に説明する。
【００２８】
この例では、図４に示すように特性補償対象フィルタ１を、４つの共振器Ｒ１〜Ｒ４とキャパシタＣ１〜Ｃ６とで構成している。４つの共振器のうち共振器Ｒ１〜Ｒ３はキャパシタＣ２，Ｃ３で段間結合させている。また、入出力部にキャパシタＣ１，Ｃ４を設けている。これによって３段の共振器からなる帯域通過フィルタを構成している。また、キャパシタＣ５を介して共振器Ｒ２を伝送線路に結合させることにより、通過帯域の低域側に減衰極を生じさせている。さらに、キャパシタＣ４の出力側伝送線路と接地との間にはキャパシタＣ６を介して１段の共振器Ｒ４を接続している。この伝送線路に接続したキャパシタＣ６と共振器Ｒ４とによって１段のトラップフィルタＴＦを構成している。このトラップフィルタＴＦにより通過帯域の高域側に減衰極を生じさせている。
【００２９】
一方、通過帯域平坦度補償回路２において、第１のリアクタンス回路部をキャパシタＣ２１、第２のリアクタンス回路部をインダクタＬ２１、第３のリアクタンス回路部をインダクタＬ２２で構成している。
【００３０】
図５の（Ａ）は図４に示したフィルタ３の通過特性Ｓ２１と反射特性Ｓ１１を示している。ここで横軸は１７５０ＭＨｚから２０００ＭＨｚまでの周波数、縦軸は１目盛り５ｄＢで減衰量および反射量を表している。（Ｂ）は同じ周波数帯域について縦軸スケールを１０倍に拡大している。また、（Ｂ）には通過帯域平坦度補償回路２と特性補償対象フィルタ１の通過特性も同時に表している。
【００３１】
（Ｂ）において、（１）はフィルタ１の通過特性、（２）は通過帯域平坦度補償回路２の通過特性、（３）はフィルタ３の通過特性である。
【００３２】
ここで抵抗ｒｅｓ１は２７０Ω、Ｃ２１は０．０７ｐＦ、Ｌ２１は１００ｎＨのインダクタ、Ｌ２２は１１．２ｎＨのインダクタである。
【００３３】
このように通過特性の平坦度が要求される１８５０〜１９１０ＭＨｚの通過帯域において、通過帯域平坦度補償回路２の通過特性は特性補償対象フィルタ１の通過特性とは略相補形状の通過特性であるので、特性補償対象フィルタ１単体ではそのリップルが０．６８ｄＢであったものが、通過帯域平坦度補償回路２を組み合わせたことによって０．２９ｄＢに改善されている。
【００３４】
一方、通過帯域における挿入損失は、特性補償対象フィルタ１単体で１．２３ｄＢであったものが、通過帯域平坦度補償回路２と組み合わせたことにより１．３５ｄＢに劣化している（劣化量０．１２ｄＢ）が、この劣化量は特許文献１に示されているような帯域通過フィルタで通過帯域の平坦度を補償する場合に比べて小さく抑えられる。
【００３５】
次に、第３の実施形態に係る通過帯域平坦度補償回路を備えたフィルタの構成と特性について図６〜図９を基に説明する。
図６に示すように、特性補償対象フィルタ１の構成は図４の該当箇所と同様である。この第３の実施形態では、通過帯域平坦度補償回路２の第２のリアクタンス回路部を誘電体共振器Ｒ２１で構成している。
【００３６】
図７はフィルタ３の構成を示す図であり、（Ａ）はシールドカバーを取り除いた状態での上面図、（Ｂ）は正面図、（Ｃ）は構成部品である誘電体板の断面図である。
【００３７】
図８はシールドカバー３３を含むこのフィルタ３全体の分解斜視図である。共振器Ｒ１〜Ｒ４，Ｒ２１は図７・図８に示すように、それぞれ角柱状の誘電体ブロックの中心部に丸孔を設け、その内面に内導体を形成し、誘電体ブロックの一端面を除く五面に外導体を形成した誘電体同軸共振器である。各誘電体同軸共振器の丸孔には端子ピン３４を挿入している。誘電体板３２には図に示すように、その表裏面に電極を形成していて、図４に示したキャパシタＣ１〜Ｃ６を構成している。
【００３８】
図８に示すように、基板３１の上面には各部品と導通する導体パターンを形成するとともに、所定箇所で電気的絶縁を図るレジスト膜３６を形成している。（同図ではレジスト膜３６を分離して表している。）基板３１の上部には、誘電体板３２、チップ抵抗ｒｅｓ１、誘電体板によるキャパシタＣ２１、コイルからなるインダクタＬ２２、５つの誘電体同軸共振器Ｒ１〜Ｒ４，Ｒ２１をそれぞれ実装し、各誘電体同軸共振器の端子ピン３４の端部を誘電体板３２上面の電極にハンダ付けする。なお、誘電体板３２の下面の両端と基板３１の上面の導体パターンとは金属スペーサ３５で導通させる。なお、キャパシタＣ２１は、誘電体板３２と同様に、表裏面に電極を形成していて、図６に示したキャパシタＣ２１を構成している。
【００３９】
さらに基板３１の上部にシールドカバー３３をハンダ付けし、さらにシールドカバー３３を各誘電体同軸共振器Ｒ１〜Ｒ４，Ｒ２１の外導体にハンダ付けする。このように、メインのフィルタである特性補償対象フィルタ１で用いる誘電体同軸共振器Ｒ１〜Ｒ４とともに通過帯域平坦度補償回路２で用いる誘電体同軸共振器Ｒ２１を同じ基板３１上に配置することによって、全体に大型化することなく通過帯域の平坦度に優れたフィルタが構成できる。
【００４０】
図９の（Ａ）は図６〜図８に示したフィルタ３の通過特性Ｓ２１と反射特性Ｓ１１を示している。ここで横軸は１７５０ＭＨｚから２０００ＭＨｚまでの周波数、縦軸は１目盛り５ｄＢで減衰量および反射量を表している。（Ｂ）は同じ周波数帯域について縦軸スケールを１０倍に拡大している。また、（Ｂ）には通過帯域平坦度補償回路２と特性補償対象フィルタ１の通過特性も同時に表している。
【００４１】
（Ｂ）において、（１）はフィルタ１の通過特性、（２）は通過帯域平坦度補償回路２の通過特性、（３）はフィルタ３の通過特性である。
【００４２】
ここで、抵抗ｒｅｓ１は３３０Ω、Ｃ２１は０．２７ｐＦ、Ｒ２１は特性インピーダンス１６．７Ωの誘電体同軸共振器、Ｌ２２は９．９４ｎＨのインダクタである。
【００４３】
このように通過特性の平坦度が要求される１８５０〜１９１０ＭＨｚの通過帯域において、通過帯域平坦度補償回路２の通過特性は特性補償対象フィルタ１の通過特性とは略相補形状の通過特性であるので、特性補償対象フィルタ１単体ではそのリップルが０．６８ｄＢであったものが、通過帯域平坦度補償回路２を組み合わせたことによって０．１４ｄＢにまで改善されている。
【００４４】
また、通過帯域における挿入損失は、特性補償対象フィルタ１単体で１．２３ｄＢであったものが、通過帯域平坦度補償回路２と組み合わせたことにより１．３２ｄＢの劣化となり、その劣化量（０．０９ｄＢ）は第２の実施形態の場合より改善されている。
【００４５】
次に、第４の実施形態に係る通過帯域平坦度補償回路と、それを備えたフィルタについて図１０・図１１を基に説明する。
【００４６】
第１〜第３の実施形態では特性補償対象フィルタ１として帯域通過フィルタを例にしたが、この図１０に示す特性補償対象フィルタ１は帯域減衰フィルタである。すなわち３つ誘電体共振器Ｒ１〜Ｒ３をキャパシタＣ１〜Ｃ３を介して伝送線路に接続するとともに、伝送線路をインダクタＬ１，Ｌ２およびキャパシタＣ４，Ｃ５，Ｃ６で構成している。このようにして誘電体共振器とキャパシタの直列共振回路を伝送線路と接地との間に設け、その共振回路間の位相をインダンタＬ１，Ｌ２およびキャパシタＣ４，Ｃ５，Ｃ６で調整することによって３段の共振器による帯域減衰特性を得ている。また、このキャパシタＣ４，Ｃ５，Ｃ６とインダクタＬ１，Ｌ２とによって低域通過フィルタ（ＬＰＦ）特性を得ている。
【００４７】
通過帯域平坦度補償回路２は図６に示したものと同様の構成である。ここで、抵抗ｒｅｓ１は３９０Ω、Ｃ２１は０．８８ｐＦ、Ｒ２１は特性インピーダンス１６．７Ωの誘電体同軸共振器、Ｌ２２は３．１ｎＨのインダクタである。
【００４８】
図１１の（Ａ）は図１０に示したフィルタ３の通過特性Ｓ２１と反射特性Ｓ１１を示している。第２・第３の実施形態の場合と同様に、横軸は１７５０ＭＨｚから２０００ＭＨｚまでの周波数、縦軸は１目盛り５ｄＢで減衰量および反射量を表している。（Ｂ）は同じ周波数帯域について縦軸スケールを１０倍に拡大している。また、（Ｂ）には通過帯域平坦度補償回路２と特性補償対象フィルタ１の通過特性も同時に表している。
【００４９】
（Ｂ）において、（１）はフィルタ１の通過特性、（２）は通過帯域平坦度補償回路２の通過特性、（３）はフィルタ３の通過特性である。
【００５０】
このように通過特性の平坦度が要求される１８５０〜１９１０ＭＨｚの通過帯域において、通過帯域平坦度補償回路２の通過特性は特性補償対象フィルタ１の通過特性とは略相補形状の通過特性であるので、特性補償対象フィルタ１に通過帯域平坦度補償回路２を組み合わせたことによって通過帯域リップルが０．１２ｄＢに改善されている。
【００５１】
次に、第５の実施形態に係る通過帯域平坦度補償回路と、それを含むフィルタについて図１２・図１３を基に説明する。
【００５２】
図６に示した例では特性補償対象フィルタ１に１段のトラップフィルタＴＦを設けたが、この図１２に示す例では、特性補償対象フィルタ１の入力側と出力側にそれぞれトラップフィルタＴＦ１，ＴＦ２を設けている。またそれに併せて図６に示した通過帯域平坦度補償回路２に２段分の特性補償用共振回路２０を設けている。
【００５３】
図１２において誘電体共振器（誘電体同軸共振器）Ｒ２〜Ｒ５とキャパシタＣ１〜Ｃ５とによって４段の共振器による帯域通過フィルタを構成している。また、誘電体共振器Ｒ１，キャパシタＣ６，インダクタＬ１によってトラップフィルタＴＦ１を構成している。同様に、誘電体共振器Ｒ６，キャパシタＣ８，インダクタＬ２によってもう１つのトラップフィルタＴＦ２を構成している。この２つのトラップフィルタＴＦ１，ＴＦ２によって上記通過帯域の高域側に隣接する減衰域に減衰極を生じさせている。また、キャパシタＣ７を介して共振器Ｒ３を伝送路と結合させることにより、通過帯域の低域側に減衰極を生じさせている。これにより通過域から減衰域にかけての減衰特性を急峻なものとしている。
【００５４】
通過帯域平坦度補償回路２においてＣ２１は１段目の特性補償用共振回路の第１のリアクタンス回路部としてのキャパシタ、誘電体共振器Ｒ２１は同特性補償用共振回路の第２のリアクタンス回路部を構成している。キャパシタＣ２２は同特性補償用共振回路の第３のリアクタンス回路部を構成している。このＣ２１，Ｒ２１，Ｃ２２，ｒｅｓ１によって第１の特性補償用共振回路２０を構成している。同様に、Ｃ２４，Ｒ２２，Ｃ２５，ｒｅｓ２によって第２の特性補償用共振回路２１を構成している。そしてこの２つの特性補償用共振回路２０，２１を伝送線路と接地との間に設けるとともに、段間の伝送線路をインダクタＬ２３で形成して帯域減衰特性を得ている。また、伝送線路に対する２つの特性補償用共振回路２０，２１の接続点と接地との間にキャパシタＣ２３，Ｃ２６を接続している。このキャパシタＣ２３，Ｃ２６およびインダクタＬ２３部分によって特性補償用共振回路２０と２１の位相調整を行うとともに、低域通過特性を得ている。
【００５５】
図１３の（Ａ）は図１２に示したフィルタ３の通過特性Ｓ２１と反射特性Ｓ１１を示している。第２〜第４の実施形態の場合と同様に、横軸は１７５０ＭＨｚから２０００ＭＨｚまでの周波数、縦軸は１目盛り５ｄＢで減衰量および反射量を表している。（Ｂ）は同じ周波数帯域について縦軸スケールを１０倍に拡大している。また、（Ｂ）には通過帯域平坦度補償回路２と特性補償対象フィルタ１の通過特性も同時に表している。（Ｂ）において、（１）はフィルタ１の通過特性、（２）は通過帯域平坦度補償回路２の通過特性、（３）はフィルタ３の通過特性である。
【００５６】
このように通過特性の平坦度が要求される１８５０〜１９１０ＭＨｚの通過帯域において、通過帯域平坦度補償回路２の通過特性は特性補償対象フィルタ１の通過特性とは略相補形状の通過特性であるので、特性補償対象フィルタ１に通過帯域平坦度補償回路２を組み合わせたことによって通過帯域リップルが０．０８ｄＢに改善されている。
【００５７】
このように２段の特性補償用共振回路２０，２１で通過帯域平坦度補償回路２を構成したことにより、図１３（Ｂ）の（２）で示すように下側に凸形状を有し、且つその中央部で再び平坦であるか上方向に僅かに凸形状をなす通過特性を得ることができる。このような通過特性を有する通過帯域平坦度補償回路を用いることによって、上側に比較的強く凸形状をなす通過特性を有する特性補償対象フィルタ１の通過特性を高精度に補償できる。
【００５８】
次に、第６の実施形態に係る通過帯域平坦度補償回路と、それを含むフィルタについて図１４・図１５を基に説明する。
【００５９】
この例では、それぞれ１段の特性補償用共振回路を備えた通過帯域平坦度補償回路２ａ，２ｂを特性補償対象フィルタ１の入力側と出力側の伝送線路に接続している。特性補償対象フィルタ１の構成は図１２に示したものと同様である。また、この例では、通過帯域平坦度補償回路２ａに設けた第３のリアクタンス回路部をキャパシタＣ２２とインダクタＬ２２との並列回路で構成している。同様に通過帯域平坦度補償回路２ｂに設けた第３のリアクタンス回路部をキャパシタＣ２５とインダクタＬ２４との並列回路で構成している。
【００６０】
図１５の（Ａ）は図１４に示したフィルタ３の通過特性Ｓ２１と反射特性Ｓ１１を示している。第２〜第５の実施形態の場合と同様に、横軸は１７５０ＭＨｚから２０００ＭＨｚまでの周波数、縦軸は１目盛り５ｄＢで減衰量および反射量を表している。（Ｂ）は同じ周波数帯域について縦軸を１０倍に拡大している。また、（Ｂ）には通過帯域平坦度補償回路２と特性補償対象フィルタ１の通過特性も同時に表している。（Ｂ）において、（１）はフィルタ１の通過特性、（３）はフィルタ３の通過特性である。また、（２ａ）は通過帯域平坦度補償回路２ａの通過特性、（２ｂ）はもう１つの通過帯域平坦度補償回路２ｂの通過特性である。この２つの通過帯域平坦度補償回路２ａ，２ｂの合成特性は図１３の（Ｂ）において（２）で示したものと同様に、通過帯域１８５０〜１９１０ＭＨｚにおいて特性補償対象フィルタ１の通過特性の相補形状の通過特性となるので、フィルタ３全体の通過特性は（３）のようになって通過帯域での平坦度が向上する。
【００６１】
なお、以上に示した各実施形態では、特性補償用共振回路２０の第２のリアクタンス回路部としてキャパシタ、インダクタ、誘電体共振器等を用いる例を示したが、その部分をＳＡＷ共振器（表面弾性波共振器）や多層基板の所定層に電極パターンを形成してなるＬＣ並列共振回路で構成してもよい。
【図面の簡単な説明】
【００６２】
【図１】第１の実施形態に係る通過帯域平坦度補償回路とそれを備えたフィルタの構成を示す図
【図２】同通過帯域平坦度補償回路の特性を示す図
【図３】同通過帯域平坦度補償回路の幾つかの構成例と、それらの通過特性を示す図
【図４】第２の実施形態に係る通過帯域平坦度補償回路とそれを備えたフィルタの構成を示す図
【図５】同通過帯域平坦度補償回路、特性補償対象フィルタ、および補正後のフィルタの特性を示す図
【図６】第２の実施形態に係る通過帯域平坦度補償回路とそれを備えたフィルタの構成を示す図
【図７】同フィルタの構成を示す図
【図８】同フィルタの構成を示す分解斜視図
【図９】同通過帯域平坦度補償回路、特性補償対象フィルタ、および補正後のフィルタの特性を示す図
【図１０】第３の実施形態に係る通過帯域平坦度補償回路とそれを備えたフィルタの構成を示す図
【図１１】同通過帯域平坦度補償回路、特性補償対象フィルタ、および補正後のフィルタの特性を示す図
【図１２】第４の実施形態に係る通過帯域平坦度補償回路とそれを備えたフィルタの構成を示す図
【図１３】同通過帯域平坦度補償回路、特性補償対象フィルタ、および補正後のフィルタの特性を示す図
【図１４】第５の実施形態に係る通過帯域平坦度補償回路とそれを備えたフィルタの構成を示す図
【図１５】同通過帯域平坦度補償回路、特性補償対象フィルタ、および補正後のフィルタの特性を示す図
【図１６】特許文献１の通過帯域平坦度補償回路の構成と特性を示す図
【図１７】特許文献２の通過帯域平坦度補償回路の構成と特性を示す図
【符号の説明】
【００６３】
１−特性補償対象フィルタ
２−通過帯域平坦度補償回路
３−フィルタ
２０−特性補償用共振回路
３１−基板
３２−誘電体板
３３−シールドカバー
３４−端子ピン
３５−金属スペーサ
３６−レジスト膜
Ｒ−共振器
ＴＦ−トラップフィルタ
【図１】
2005286893.tif 000003
【図２】
2005286893.tif 000004
【図３】
2005286893.tif 000005
【図４】
2005286893.tif 000006
【図５】
2005286893.tif 000007
【図６】
2005286893.tif 000008
【図７】
2005286893.tif 000009
【図８】
2005286893.tif 000010
【図９】
2005286893.tif 000011
【図１０】
2005286893.tif 000012
【図１１】
2005286893.tif 000013
【図１２】
2005286893.tif 000014
【図１３】
2005286893.tif 000015
【図１４】
2005286893.tif 000016
【図１５】
2005286893.tif 000017
【図１６】
2005286893.tif 000018
【図１７】
2005286893.tif 000019